(57)【要約】【課題】  第１の操作パネル及び第２の操作パネルに対する操作手段の位置決め及び外観部品に対する第２の操作パネルの位置決めが高精度な操作部及びその操作部を備えた記録装置並びに電子機器を提供すること。【解決手段】  操作手段３１を第１の操作パネル１１に仮位置決めする第１の位置決め手段４１ａ、第２の操作パネル１２が第１の操作パネルに被せられることにより第１の位置決め手段と結合されて、操作手段を第２の操作パネルに本位置決めする第２の位置決め手段５１ａとを備えている。これにより、操作手段の位置決めは第２の操作パネルと直接行うことになるので、第２の操作パネルと第１の操作パネルの位置決めに必要な公差の上乗せを防止して、操作手段外周のクリアランスを小さく抑えることができる。【選択図】      図７
2007030483.tif 000002
【特許請求の範囲】
【請求項１】
所定の機能を操作する操作手段と、
前記操作手段の基体となる第１の操作パネルと、
前記第１の操作パネルを保護する第２の操作パネルとを有し、
前記操作手段に設けられ、前記操作手段を前記第１の操作パネルにおける第１の規定位置に仮位置決めする第１の位置決め手段と、
前記第２の操作パネルに設けられ、当該第２の操作パネルが前記第１の操作パネルに被せられることにより前記第１の位置決め手段と結合されて、当該第１の操作パネルに仮位置決めされている前記操作手段を、前記第１の規定位置に対応する前記第２の操作パネルにおける第２の規定位置に本位置決めする第２の位置決め手段とを備えたことを特徴とする操作部。
【請求項２】
前記第１の位置決め手段は、一端が前記操作手段に固着され、他端が前記第１の操作パネルにおける前記第２の操作パネルとの対向面に露出するように形成されており、前記第２の位置決め手段は、前記第１の位置決め手段の他端と嵌合可能なように前記第２の操作パネルにおける前記第１の操作パネルとの対向面に配設されていることを特徴とする請求項１に記載の操作部。
【請求項３】
前記第１及び第２の位置決め手段は、スリーブとこのスリーブに嵌入可能なピンを備えていることを特徴とする請求項２に記載の操作部。
【請求項４】
前記第１及び／又は第２の位置決め手段は、結合時の誘い込みを容易にする誘い込み部が形成されていることを特徴とする請求項１〜３の何れか一項に記載の操作部。
【請求項５】
前記誘い込み部は、仮位置決め時のガタ量よりも小さい本位置決め時の誘い込み量を有することを特徴とする請求項４に記載の操作部。
【請求項６】
請求項１〜５の何れか一項に記載の操作部が装着される外観部品を備え、
前記第２の操作パネルが、前記外観部品に対して位置決め固定されることを特徴とする操作部。
【請求項７】
記録媒体に記録する記録装置であって、
請求項１〜６の何れか一項に記載の操作部を備えたことを特徴とする記録装置。
【請求項８】
操作手段により操作制御される電子機器であって、
請求項１〜６の何れか一項に記載の操作部を備えたことを特徴とする電子機器。
【発明の詳細な説明】
【技術分野】
【０００１】
本発明は、所定の機能を操作する操作手段と、前記操作手段の基体となる第１の操作パネルと、前記第１の操作パネルを保護する第２の操作パネルとを有する操作部及びその操作部を備えた記録装置並びに電子機器に関する。
【背景技術】
【０００２】
一般に、記録装置の１つであるインクジェット式プリンタは、プリンタ本体のハウジングの前面側に操作部が設けられている。この操作部は、ハウジングに装着されたパネル外装と、このパネル外装に配設された複数のボタン等を備えている。ユーザは、これらのボタン等を押すことにより、記録条件を設定し、記録動作を開始させることができる（特許文献１参照）。
【０００３】
【特許文献１】特開２００２−１０３７３２号公報
【発明の開示】
【発明が解決しようとする課題】
【０００４】
上述したインクジェット式プリンタのパネル外装は、ボタン等のキートップ用の開口部が設けられている。そして、ボタン等は、キートップが開口部から露出するようにしてパネル外装に直接位置決め固定されている。このためキートップの外周に必要なクリアランスは、１対１の公差計算により、通常、０．３ｍｍ程度に決定することができる。
【０００５】
ところが、操作部の表記を各国語対応にするために、パネル外装に対して容易に着脱可能な化粧パネルを備えたインクジェット式プリンタの場合、化粧パネルとパネル外装の位置決めに必要な公差が上乗せされるため、キートップ外周のクリアランスが大きくなる。例えば、化粧パネルとパネル外装の位置決め部がそれぞれ±０．１ｍｍの公差であった場合、キートップ外周のクリアランスは単純和で０．２ｍｍ拡大、即ち、０．５ｍｍと大幅に拡大する必要がある。
【０００６】
また、同一面を形成する化粧パネルとハウジングとの位置決め関係において、化粧パネルはパネル外装に対して装着されるため、パネル外装とハウジングの位置決めに必要な公差が上乗せされる。例えば、化粧パネルとパネル外装とハウジングの位置決め部がそれぞれ±０．２ｍｍの公差であった場合、化粧パネルとハウジングの間には単純和で±０．４ｍｍの段差が生じる可能性がある。
【０００７】
本発明は、上記のような種々の課題に鑑みなされたものであり、その目的は、第１の操作パネル及び第２の操作パネルに対する操作手段の位置決め及び外観部品に対する第２の操作パネルの位置決めが高精度な操作部及びその操作部を備えた記録装置並びに電子機器を提供することにある。
【課題を解決するための手段】
【０００８】
上記目的達成のため、本発明の操作部では、所定の機能を操作する操作手段と、前記操作手段の基体となる第１の操作パネルと、前記第１の操作パネルを保護する第２の操作パネルとを有し、前記操作手段に設けられ、前記操作手段を前記第１の操作パネルにおける第１の規定位置に仮位置決めする第１の位置決め手段と、前記第２の操作パネルに設けられ、当該第２の操作パネルが前記第１の操作パネルに被せられることにより前記第１の位置決め手段と結合されて、当該第１の操作パネルに仮位置決めされている前記操作手段を、前記第１の規定位置に対応する前記第２の操作パネルにおける第２の規定位置に本位置決めする第２の位置決め手段とを備えたことを特徴としている。これにより、操作手段の位置決めは第２の操作パネルと直接行うことになるので、第２の操作パネルと第１の操作パネルの位置決めに必要な公差の上乗せを防止して、操作手段外周のクリアランスを小さく抑えることができる。
【０００９】
また、前記第１の位置決め手段は、一端が前記操作手段に固着され、他端が前記第１の操作パネルにおける前記第２の操作パネルとの対向面に露出するように形成されており、前記第２の位置決め手段は、前記第１の位置決め手段の他端と嵌合可能なように前記第２の操作パネルにおける前記第１の操作パネルとの対向面に配設されていることを特徴としている。これにより、操作手段を第１の操作パネルに仮位置決めすることができると共に第２の操作パネルに本位置決めすることができる。
【００１０】
また、前記第１及び第２の位置決め手段は、スリーブとこのスリーブに嵌入可能なピンを備えていることを特徴としている。これにより、第１及び第２の位置決め手段を簡易に構成することができ、部品コストを低く抑えることができる。また、前記第１及び／又は第２の位置決め手段は、結合時の誘い込みを容易にする誘い込み部が形成されていることを特徴としている。これにより、操作手段の組立工程時間を短縮させることができる。
【００１１】
また、前記誘い込み部は、仮位置決め時のガタ量よりも小さい本位置決め時の誘い込み量を有することを特徴としている。これにより、第２の操作パネルを組み付ける際に、操作手段を第１の操作パネルにおいて本位置決め可能な範囲内に位置させることができる。また、上記各操作部が装着される外観部品を備え、前記第２の操作パネルが、前記外観部品に対して位置決め固定されることを特徴としている。これにより、第２の操作パネルの位置決めは外観部品と直接行うことになるので、第２の操作パネルと第１の操作パネルと外観部品の位置決めに必要な公差の上乗せを防止して、第２の操作パネルと外観部品を面一にすることができる。
【００１２】
上記目的達成のため、本発明の記録装置では、記録媒体に記録する記録装置であって、上記各操作部を備えたことを特徴としている。また、操作手段により操作制御される電子機器であって、上記各操作部を備えたことを特徴としている。これにより、上記各作用効果を奏する記録装置又は電子機器を提供することが可能である。
【発明を実施するための最良の形態】
【００１３】
本発明の実施形態について、図面を参照して説明する。尚、以下に説明する実施形態は特許請求の範囲に係る発明を限定するものではなく、また実施形態の中で説明されている特徴の組み合わせの全てが発明の解決手段に必須であるとは限らない。
【００１４】
図１は、本発明の一実施の形態に係る記録装置の１つであるインクジェット式プリンタの外観構成の全体を示す斜視図、図２は、その内部構造を示す斜視図、図３は、その内部構造を示す概略側面図である。このインクジェット式プリンタ１００は、例えば名刺、カード、Ｌ判／２Ｌ判、ハガキ、六切やＪＩＳ規格のＡ６判からＡ４判までのサイズの単票紙と、例えばＣＤ−Ｒ（Ｃｏｍｐａｃｔ  Ｄｉｓｃ−Ｒｅｃｏｒｄａｂｌｅ）やＤＶＤ−Ｒ（Ｄｉｇｉｔａｌ  Ｖｅｒｓａｔｉｌｅ  Ｄｉｓｃ−Ｒｅｃｏｒｄａｂｌｅ）等の光ディスクのレーベル面に記録することができる機能を備えている。
【００１５】
このインクジェット式プリンタ１００は、図１に示すように、全体が略直方体状のハウジング１０１で覆われている。そして、ハウジング１０１の上面における前面側には本発明の特徴的な部分を含む操作部１１０が配設され、前面における図示右側にはメモリカードスロット部１２０が配設され、上面における背面側には給紙部１３０が配設され、前面側には排紙部１４０が配設されている。更に、図２及び図３に示すように、排紙部１４０の内部にはディスク搬送部２００が配設されている。
【００１６】
操作部１１０は、図１に示すように、略矩形状の操作パネル１１１を備え、この操作パネル１１１の略中央部に操作状態等を表示する液晶パネル１１２が配設され、この液晶パネル１１２の両側にパワーをオン・オフするパワー系、用紙の頭出し等を操作したりインクのフラッシング等を操作する操作系、画像処理等を行う処理系等のボタン１１３が配設されている。ユーザは、液晶パネル１１２を見て確認しながらボタン１１３を操作することができるので、誤操作を防止することができる。尚、この操作部１１０の詳細については後述する。
【００１７】
メモリカードスロット部１２０は、図１に示すように、図示矢印ａ方向に開閉自在なカバー１２１で覆われている。このメモリカードスロット部１２０は、例えば５スロット形成され、１３種類のメモリカードに対応可能に構成されている。ユーザは、インクジェット式プリンタ１００をパーソナルコンピュータに接続しなくても、インクジェット式プリンタ１００単独の状態でメモリカードスロット部１２０にメモリカードを差し込むのみで、メモリカードに格納されている画像等を記録することができる。
【００１８】
給紙部１３０は、図１に示すように、上方に向かって矩形状に開口した給紙口１３１を開閉する機能と、給紙する用紙を１枚もしくは複数枚サポートする機能を併せ持ったペーパーサポート１３２を備えている。このペーパーサポート１３２は、後端の回転軸を中心に図示矢印ｂ方向に回動可能に取り付けられている。ユーザは、インクジェット式プリンタ１００を使用又は不使用のときは、ペーパーサポート１３２の図示左側のハウジング１０１に設けられた穴１３３に指を差し込んでペーパーサポート１３２の図示左側を持ってペーパーサポート１３２を開閉することができるので、用紙の差し入れを容易に行うことができ、また給紙口１３１内への埃の侵入を防止することができる。
【００１９】
このペーパーサポート１３２は、図２に示すように、用紙の裏面をサポートする第１サポート３１及び第２サポート３２と、用紙の両サイドエッジをガイドする固定エッジガイド３３と可動エッジガイド３４等を備えている。第１サポート３１は、平板状に形成されて後端の回転軸を中心に図示矢印ｂ方向に回動可能に取り付けられている。第２サポート３２は、平板状に形成されて第１サポート３１に格納・引出自在に配設されている。これにより、使用時は種々のサイズの用紙を確実にサポートすることができ、また不使用時は第２サポート３２を第１サポート３１に格納し、第１サポート３１を給紙口１３１に被せているので、コンパクトに格納しておくことができる。
【００２０】
また、固定エッジガイド３３は、図示右側壁に沿う形状でホッパ５１と一体形成され、可動エッジガイド３４は、図示左側壁に沿う形状に形成され、左側壁と右側壁の間を後壁と略平行に移動可能なように取り付けられている。固定エッジガイド３３と可動エッジガイド３４は、用紙のサイズが異なっても確実に用紙の両側縁をガイドすることができるので、給送を高精度に行うことができる。
【００２１】
排紙部１４０は、図１に示すように、前方に向かって矩形状に開口した排紙口１４１を開閉する機能と、排紙される用紙を１枚もしくは複数枚スタックする機能を併せ持ったスタッカ１４２を備えている。このスタッカ１４２は、下端の回転軸を中心に図示矢印ｃ方向に回動可能に取り付けられている。ユーザは、インクジェット式プリンタ１００を使用又は不使用のときは、スタッカ１４２の上部に設けられた取っ手１４３に指を掛けてスタッカ１４２を開閉することができるので、セッティングを容易に行うことができ、また排紙口１４１内への埃の侵入を防止することができる。更に、記録後の用紙は常に前面側から排紙されるので、ユーザは用紙を容易に取り出すことができる。
【００２２】
このスタッカ１４２は、図２に示すように、第１スタッカ４１及び第２スタッカ４２を備えている。第１スタッカ４１は、平板状に形成されて後端の回転軸を中心に図示矢印ｃ方向に回動可能に取り付けられている。第２スタッカ４２は、平板状に形成されて第１スタッカ４１に格納・引出自在に配設されている。これにより、使用時は種々のサイズの排紙される用紙を確実に積層載置することができ、また不使用時は第２スタッカ４２を第１スタッカ４１に格納し、第１スタッカ４１を排紙口１４１に被せているので、コンパクトに格納しておくことができる。
【００２３】
このインクジェット式プリンタ１００の内部には、図２及び図３に示すように、用紙搬送部１５０、記録部１６０及びディスク搬送部２００が配設されている。用紙搬送部１５０は、給紙部１３０から排紙部１４０に掛けて配設されており、自動給紙機構１５１、搬送機構１５２、排紙機構１５３を備えている。自動給紙機構１５１は、ペーパーサポート１３２にサポートされている用紙を給送するために持ち上げるホッパ５１、このホッパ５１により持ち上げられた用紙を取り出す給紙ローラ５２、この給紙ローラ５２により重送された用紙を１枚のみに分離するリタードローラ５３、このリタードローラ５３により分離された残りの用紙をホッパ５１へ戻す紙戻しレバー５４等を備えている。
【００２４】
ホッパ５１は、用紙が載置可能な平板状に形成されて後壁と略平行に配設されており、下端が給紙ローラ５２の近傍に位置し、上端が後壁頂部に近接して位置するように配設されている。そして、ホッパ５１は、後壁に一端が取り付けられた図示しない圧縮バネの他端が下端側の裏面に取り付けられており、この圧縮バネの伸縮により上端側を中心に下端側が旋回するように配設されている。
【００２５】
給紙ローラ５２は、断面の一部が切り欠かれたＤ字状に形成されてホッパ５１の下端近傍に配設されており、間欠的に回転してホッパ５１により持ち上げられた用紙を摩擦給送するようになっている。リタードローラ５３は、給紙ローラ５２と当接可能に配設されており、給紙ローラ５２により用紙が重送されたときに最上層の用紙のみを下層の用紙から摩擦分離するようになっている。紙戻しレバー５４は、爪状に形成されて給紙ローラ５２の近傍に配設されており、リタードローラ５３により分離された下層の用紙を爪に掛けてホッパ５１へ戻すようになっている。
【００２６】
搬送機構１５２は、記録動作に同期して副走査方向に用紙を送る紙送りローラ５５とその従動ローラ５６等が配設されている。紙送りローラ５５は、プラテン１６３の搬送上流側に配設されており、給紙ローラ５２により給送される用紙を従動ローラ５６と共に挟持してプラテン１６３へ送り出すようになっている。
【００２７】
排紙機構１５３は、排紙ローラ５７と第１ギザローラ５８ａ及び第２ギザローラ５８ｂ等を備えている。第１ギザローラ５８ａは、プラテン１６３の搬送下流側に配設され、第２ギザローラ５８ｂと排紙ローラ５７は、第１ギザローラ５８ａの搬送下流側に対向配設されており、プラテン１６３を通過してくる用紙を先ず第１ギザローラ５８ａで排送し、続いて第２ギザローラ５８ｂと排紙ローラ５７で挟持してスタッカ１４２上へ排紙するようになっている。尚、第１ギザローラ５８ａ及び第２ギザローラ５８ｂは、図示しない同一の保持部材により保持されている。
【００２８】
記録部１６０には、記録動作に同期して主走査方向に移動するキャリッジ１６１、記録動作に同期してインクを吐出する記録ヘッド１６２、記録時の用紙を平坦に保持するプラテン１６３等が配設されている。キャリッジ１６１は、プラテン１６３の上方でキャリッジガイド軸１６４に貫装されてキャリッジベルト１６５に連結されており、図示しないキャリッジモータによってキャリッジベルト１６５が作動すると、キャリッジベルト１６５の動きに連行され、キャリッジガイド軸１６４に案内されて往復移動するようになっている。このキャリッジ１６１には、複数のインクカートリッジが抜き差し可能なカートリッジ収納部６１が形成されている。
【００２９】
記録ヘッド１６２は、プラテン１６３と所定の間隔が空くようにしてキャリッジ１６１に搭載されており、例えばブラックインクを吐出するブラックインク用記録ヘッドと、イエロー、シアン、ライトシアン、マゼンタ、ライトマゼンタの５色のインクをそれぞれ吐出する複数のカラーインク用記録ヘッドとを備えている。そして、記録ヘッド１６２は、圧力発生室とそれに繋がるノズル開口が設けられており、圧力発生室内にインクを貯留して所定圧で加圧することにより、ノズル開口から用紙に向けてコントロールされた大きさのインク滴を吐出するようになっている。
【００３０】
このような構成において、用紙に記録する場合の動作について説明する。ユーザは、記録前の複数枚の用紙をペーパーサポート１３２に収納してインクジェット式プリンタ１００を起動する。ペーパーサポート１３２に積層収納された用紙は、下端がホッパ５１により持ち上げられて給紙ローラ５２に当接される。そして、給紙ローラ５２により摩擦給送されると同時に、分離パッド５３により最上層の用紙のみが摩擦分離されて給送される。
【００３１】
そして、最上層の用紙は、スキュー取り及び頭出しされた後、紙送りローラ５５とその従動ローラ５６に挟持されてプラテン１６３へ給送される。その用紙は、キャリッジモータとキャリッジベルト１６５により走査されるキャリッジ１６１に搭載された記録ヘッド１６２により記録される。このとき、インクジェット式プリンタ１００の制御部は、例えばイエロー、マゼンタ、ライトマゼンタ、シアン、ライトシアン、ブラックの計６色のインクカートリッジから記録ヘッド１６２へ各色インクを供給し、各色インクの吐出タイミング及びキャリッジ１６１や紙送りローラ５５の駆動を制御して、高精度なインクドット制御、ハーフトーン処理等を実行する。そして、記録が完了した用紙は、第１ギザローラ５８ａから排紙ローラ５７と第２ギザローラ５８ｂに挟持されてスタッカ１４２上へ積層載置される。次に、本発明の特徴的な部分である操作部１１０について、更に図を参照して説明する。
【００３２】
図４は、上記操作部１１０とその周辺部を示す斜視図及びそのＡ−Ａ線断面図とＢ−Ｂ線断面図である。操作部１１０は、上述したように操作パネル（第１及び第２の操作パネル）１１１、液晶パネル１１２及びボタン（操作手段）１１３等を備えており、ハウジング１０１の前面側上部に傾斜して配設されている。操作パネル１１１は、ボタン１１３の表記を各国語対応にするために、パネル外装（第１の操作パネル）１１と化粧パネル（第２の操作パネル）１２の２層構造となっている。パネル外装１１は、ボタン１１３の基体となるパネルであり、化粧パネル１２は、パネル外装１１を保護するパネルである。
【００３３】
図５は、上記化粧パネル１２を上記パネル外装１１から取り外した状態を図４に対応させて示す斜視図及びそのＡ−Ａ線断面図とそのＢ−Ｂ線断面図である。パネル外装１１は、図５の断面図の丸で囲んだ部分Ａ１、Ａ２、Ｂ１、Ｂ２に示すように、上縁１１ａ及び下縁１１ｂがハウジング１０１の開口上縁１０１ａ及び開口下縁１０１ｂに引っ掛けられて係止されている。このため、パネル外装１１とハウジング１０１との位置決め関係においてはそれに必要な公差のみとなるため、パネル外装１１とハウジング１０１とは略同一面を形成することになる。
【００３４】
更に、化粧パネル１２は、図４の断面図の丸で囲んだ部分Ａ１、Ａ２、Ｂ１、Ｂ２に示すように、上縁１２ａはパネル外装１１の上部に設けられた溝穴１１ｃに引っ掛けられて係止されているが、下縁１２ｂはハウジング１０１の開口下縁１０１ｂに引っ掛けられて係止されている。このため、化粧パネル１２の下部とハウジング１０１との位置決め関係においてはそれに必要な公差のみとなるため、化粧パネル１２の下部とハウジング１０１とは略同一面を形成することになる。
【００３５】
尚、化粧パネル１２の上部とハウジング１０１との位置決め関係においては、本実施形態ではスペース上の問題から化粧パネル１２の上部とパネル外装１１の上部との位置決めに必要な公差が上乗せされるが、この部分は開閉自在なカバー１０２（図１参照）が取り付けられるため、化粧パネル１２の上部とハウジング１０１とを高精度な面一とする必要は無い。
【００３６】
図６は、上記操作部１１０の一部を示す斜視図、図７は、上記化粧パネル１２を上記パネル外装１１から取り外した状態を図６に対応させて示す斜視図、図８は、上記化粧パネル１２の裏面を示す斜視図である。ボタン１１３には、大型の丸ボタン３１、小型の丸ボタン３２、中型の丸ボタン３３及び丸ボタン付方向キー３４等がある。パネル外装１１及び化粧パネル１２には、上記各ボタン３１〜３４のキートップの頭が露出可能な開口部２１ａ〜２４ａ、２１ｂ〜２４ｂがそれぞれ形成されている。
【００３７】
パネル外装１１の開口部２１ａ〜２４ａの近傍には、図７に示すように、各ボタン３１〜３４の位置決めのための孔２１ｃ〜２４ｃが穿孔されている。そして、各ボタン３１〜３４には、詳細は後で説明するが、位置決めスリーブ（第１の位置決め手段）４１ａ、４１ｂ、４２ａ、４２ｂ、４３ａ、４３ｂ、４４ａが一体的に設けられている。そして、各ボタン３１〜３４及び各位置決めスリーブ４１ａ、４１ｂ、４２ａ、４２ｂ、４３ａ、４３ｂ、４４ａは、パネル外装１１の裏面側から開口部２１ａ〜２４ａ及び孔２１ｃ〜２４ｃに挿入及び嵌入され、各ボタン３１〜３４及び各位置決めスリーブ４１ａ、４１ｂ、４２ａ、４２ｂ、４３ａ、４３ｂ、４４ａの頭が、開口部２１ａ〜２４ａ及び孔２１ｃ〜２４ｃから露出するように配置される。これにより、各ボタン３１〜３４は、パネル外装１１における仮規定位置（第１の規定位置）にフロート状態で仮位置決めされる。
【００３８】
一方、化粧パネル１２の裏面には、図８に示すように、上記位置決めスリーブ４１ａ、４１ｂ、４２ａ、４２ｂ、４３ａ、４３ｂ、４４ａの各穴に嵌入されて結合される位置決めピン（第２の位置決め手段）５１ａ、５１ｂ、５２ａ、５２ｂ、５３ａ、５３ｂ、５４ａが一体的に設けられている。そして、化粧パネル１２は、裏面側がパネル外装１１の表面側から被せられ、各位置決めピン５１ａ、５１ｂ、５２ａ、５２ｂ、５３ａ、５３ｂ、５４ａが対応する各位置決めスリーブ４１ａ、４１ｂ、４２ａ、４２ｂ、４３ａ、４３ｂ、４４ａの穴に嵌入される。これにより、各ボタン３１〜３４は、化粧パネル１２における本規定位置（第２の規定位置）にフロート状態で本位置決めされる。このような位置決めについて、更に図を参照して説明する。
【００３９】
図９は、大型の丸ボタン３１の詳細を示す斜視図である。尚、中型の丸ボタン３３も同様の構成である。この丸ボタン３１は、キートップ３１ａの両側から略接線方向に平行に延びるキーアーム３１ｂが一体形成され、更に、上記位置決めスリーブ４１ａ、４１ｂが所定間隔を空けて一体形成されているスリーブアーム３１ｃが上記キーアーム３１ｂの各先端を繋ぐ形で一体形成されている。位置決めスリーブ４１ａはキートップ３１ａの位置決め用に形成され、位置決めスリーブ４１ｂはキートップ３１ａの回転止め用に形成されており、位置決めスリーブ４１ａの穴は真円形状に形成され、位置決めスリーブ４１ｂの穴は楕円形状に形成されている。そして、位置決めスリーブ４１ａの中央からキートップ３１ａの中央までの距離は高精度に形成されている。
【００４０】
また、キートップ３１ａはパネル外装１１に対し、化粧パネル１２が無いときはフリーな状態にあり、化粧パネル１２をパネル外装１１に組み付ける際には本位置決めが可能な範囲内にある仮位置決めされている必要がある。従って、この仮位置決め時のガタ量、即ちパネル外装１１の孔２１ｃと位置決めスリーブ４１ｂとのクリアランスは、本位置決め時の誘い込み量、即ち位置決めスリーブ４１ａの穴の周縁に設けられる面取り量よりも大きくなるように形成されている。尚、この面取り量は、例えばＣやＲ等の値である。また、この面取りは、化粧パネル１２の位置決めピン５１ｂ側に設けても良い。
【００４１】
以上により、パネル外装１１の孔２１ｃから露出している位置決めスリーブ４１ａの穴に化粧パネル１２の位置決めピン５１ａが嵌入され、更にパネル外装１１の孔２１ｃから露出している位置決めスリーブ４１ｂの穴に化粧パネル１２の位置決めピン５１ｂが嵌入されることにより、パネル外装１１の開口部２１ａから露出しているキートップ３１ａは化粧パネル１２の開口部２１ｂに対して高精度なクリアランスを持って露出することになる。
【００４２】
図１０は、小型の丸ボタン３２の詳細を示す斜視図である。２つの丸ボタン３２を組として大型の丸ボタン３１と同様の設計思想により構成されており、同様に、パネル外装１１の孔２２ｃから露出している位置決めスリーブ４２ａの穴に化粧パネル１２の位置決めピン５２ａが嵌入され、更にパネル外装１１の孔２２ｃから露出している位置決めスリーブ４２ｂの穴に化粧パネル１２の位置決めピン５２ｂが嵌入されることにより、パネル外装１１の開口部２２ａから露出しているキートップ３２ａは化粧パネル１２の開口部２２ｂに対して高精度なクリアランスを持って露出することになる。
【００４３】
図１１は、丸ボタン付方向キー３４の詳細を示す斜視図である。この丸ボタン付方向キー３４の場合は、大型の丸ボタン３１等と異なり、位置決めスリーブ４４ａの穴は全て真円形状に形成されているが、パネル外装１１の孔２４ｃから露出している位置決めスリーブ４４ａの穴に化粧パネル１２の位置決めピン５４ａが嵌入されることにより、パネル外装１１の開口部２４ａから露出しているキートップ３４ａは化粧パネル１２の開口部２４ｂに対して高精度なクリアランスを持って露出することになる。
【００４４】
以上のように、本実施形態によれば、ボタン１１３に設けられ、ボタン１１３をパネル外装１１に仮位置決めするスリーブ４１ａ等と、化粧パネル１２に設けられ、化粧パネル１２がパネル外装１１に被せられることにより位置決めスリーブ４１ａ等と結合されて、パネル外装１１に仮位置決めされているボタン１１３を、化粧パネル１２に本位置決めする位置決めピン５１ａ等とを備えているので、ボタン１１３の位置決めは化粧パネル１２と直接行うことになり、化粧パネル１２とパネル外装１１の位置決めに必要な公差の上乗せを防止して、ボタン１１３外周のクリアランスを小さく抑えることができる。
【産業上の利用可能性】
【００４５】
操作部を備えた記録装置であれば、例えばファクシミリ装置、コピー装置、スキャナ等であっても適用可能である。また、記録装置に限らず、操作部を備えた一般的な電子装置にも適用可能である。
【図面の簡単な説明】
【００４６】
【図１】本発明の一実施の形態に係る記録装置の１つであるインクジェット式プリンタの外観構成の全体を示す斜視図である。
【図２】図１のプリンタの内部構造を示す斜視図である。
【図３】図２のプリンタの内部構造を示す概略側面図である。
【図４】図１のプリンタの操作部とその周辺部を示す斜視図である。
【図５】図４の操作部の化粧パネルをパネル外装から取り外した状態を示す斜視図である。
【図６】図４に示す操作部の一部を示す斜視図である。
【図７】図６の操作部の化粧パネルをパネル外装から取り外した状態を示す斜視図である。
【図８】図６の化粧パネルの裏面を示す斜視図である。
【図９】図６の大型の丸ボタンの詳細を示す斜視図である。
【図１０】図６の小型の丸ボタンの詳細を示す斜視図である。
【図１１】図６の丸ボタン付方向キーの詳細を示す斜視図である。
【符号の説明】
【００４７】
１１  パネル外装、１２  化粧パネル、４１ａ、４１ｂ、４２ａ、４２ｂ、４３ａ、４３ｂ、４４ａ  位置決めスリーブ、５１ａ、５１ｂ、５２ａ、５２ｂ、５３ａ、５３ｂ、５４ａ  位置決めピン、１００  インクジェット式プリンタ、１０１  ハウジング、１１０  操作部、１１１  操作パネル、１１３  ボタン、１２０  メモリカードスロット部、１３０  給紙部、１４０  排紙部、１５０  用紙搬送部、１６０  記録部、２００  ディスク搬送部
【図１】
2007030483.tif 000003
【図２】
2007030483.tif 000004
【図３】
2007030483.tif 000005
【図４】
2007030483.tif 000006
【図５】
2007030483.tif 000007
【図６】
2007030483.tif 000008
【図７】
2007030483.tif 000009
【図８】
2007030483.tif 000010
【図９】
2007030483.tif 000011
【図１０】
2007030483.tif 000012
【図１１】
2007030483.tif 000013